【手続補正書】
【提出日】平成26年6月11日(2014.6.11)
【手続補正１】
【補正対象書類名】明細書
【補正対象項目名】発明の名称
【補正方法】変更
【補正の内容】
【発明の名称】撮像装置、プログラム及び撮影方法
【手続補正２】
【補正対象書類名】明細書
【補正対象項目名】０００１
【補正方法】変更
【補正の内容】
【０００１】
本発明は、撮像装置、プログラム及び撮影方法に関する。
【手続補正３】
【補正対象書類名】明細書
【補正対象項目名】０００５
【補正方法】変更
【補正の内容】
【０００５】
そこで本発明は、撮影までのタイムラグが発生せず、かつ、タッチにより生じる手振れの手振れ補正を行うことができる撮像装置、プログラム及び撮影方法を提供することを目的とする。
【手続補正４】
【補正対象書類名】明細書
【補正対象項目名】０００６
【補正方法】変更
【補正の内容】
【０００６】
この発明は、撮影画像の手振れを補正する撮像装置であって、表示部上に備えられたタッチ入力手段と、前記タッチ入力手段上で行われたレリーズ操作のタッチ位置を検出するタッチ位置検出手段と、撮影時の手振れを補正する手振れ補正手段と、前記タッチ位置検出手段により検出されたタッチ位置に基づいて、前記手振れ補正手段による手振れ補正の有無或いは手振れ補正量を制御する制御手段とを備えることを特徴とする撮像装置である。
また、この発明は、撮影画像の手振れを補正する撮像装置であって、表示部上に備えられたタッチ入力手段と、当該撮像装置の把持位置を検出する把持位置検出手段と、撮影時の手振れを補正する手振れ補正手段と、前記把持位置検出手段により検出された把持位置に基づいて、前記手振れ補正手段による手振れ補正の有無或いは手振れ補正量を制御する制御手段とを備えることを特徴とする撮像装置である。
【手続補正５】
【補正対象書類名】特許請求の範囲
【補正対象項目名】全文
【補正方法】変更
【補正の内容】
【特許請求の範囲】
【請求項１】
撮影画像の手振れを補正する撮像装置であって、
表示部上に備えられたタッチ入力手段と、
前記タッチ入力手段上で行われたレリーズ操作のタッチ位置を検出するタッチ位置検出手段と、
撮影時の手振れを補正する手振れ補正手段と、
前記タッチ位置検出手段により検出されたタッチ位置に基づいて、前記手振れ補正手段による手振れ補正の有無或いは手振れ補正量を制御する制御手段と
を備えることを特徴とする撮像装置。
【請求項２】
当該撮像装置の把持位置を検出する把持位置検出手段を更に備え、
前記制御手段は、前記把持位置検出手段により検出された当該撮像装置の把持位置と前記タッチ位置検出手段により検出されたタッチ位置との位置関係に基づいて、前記手振れ補正手段による手振れ補正量を制御することを特徴とする請求項１に記載の撮像装置。
【請求項３】
撮影画像の手振れを補正する撮像装置であって、
表示部上に備えられたタッチ入力手段と、
当該撮像装置の把持位置を検出する把持位置検出手段と、
撮影時の手振れを補正する手振れ補正手段と、
前記把持位置検出手段により検出された把持位置に基づいて、前記手振れ補正手段による手振れ補正の有無或いは手振れ補正量を制御する制御手段と
を備えることを特徴とする撮像装置。
【請求項４】
前記タッチ入力手段上で行われたレリーズ操作のタッチ位置を検出するタッチ位置検出手段を更に備え、
前記制御手段は、前記タッチ位置検出手段により検出されたタッチ位置と前記把持位置検出手段により検出された当該撮像装置の把持位置との位置関係に基づいて、前記手振れ補正手段による手振れ補正量を制御することを特徴とする請求項３に記載の撮像装置。
【請求項５】
当該撮像装置の把持位置と前記タッチ入力手段へのタッチ位置との距離を算出する算出手段を更に備え、
前記制御手段は、前記算出手段により算出された距離に基づいて、前記手振れ補正手段による手振れ補正量を制御することを特徴とする請求項２または４に記載の撮像装置。
【請求項６】
当該撮像装置の把持位置と前記タッチ入力手段へのタッチ位置との位置関係と、前記手振れ補正手段による手振れ補正量とを対応付けて記憶する記憶手段を更に備え、
前記制御手段は、当該撮像装置の把持位置と前記タッチ入力手段へのタッチ位置との位置関係に対応付けて前記記憶手段に記憶されている、前記手振れ補正手段による手振れ補正量を参照して前記手振れ補正手段による手振れ補正量を制御することを特徴とする請求項２または４に記載の撮像装置。
【請求項７】
前記把持位置検出手段は、当該撮像装置の基準軸に対する角速度を検出するジャイロセンサにより検出された当該撮像装置の移動状況に基づいて、当該撮像装置の把持位置を検出することを特徴とする請求項２から６のいずれかに記載の撮像装置。
【請求項８】
前記把持位置検出手段は、当該撮像装置の端部に備えられたタッチセンサにより検出されたタッチ状況に基づいて、当該撮像装置の把持位置を検出することを特徴とする請求項２から６のいずれかに記載の撮像装置。
【請求項９】
前記レリーズ操作までの手振れ量を検出する手振れ量検出手段と、
前記手振れ量検出手段により検出された手振れ量に基づいて、撮影時の手振れ量を予測演算する予測演算手段と、を更に備え、
前記手振れ補正手段は、前記予測演算手段により予測された手振れ量を更に加えて、撮影時の手振れを補正することを特徴とする請求項１、２、３、４、５、７または８のいずれかに記載の撮像装置。
【請求項１０】
前記レリーズ操作は、前記表示部に表示される被写体像からオートフォーカスの対象とする被写体を選択する操作とともに行われることを特徴とする請求項１から８のいずれかに記載の撮像装置。
【請求項１１】
前記手振れ量検出手段は、基準軸に対する角速度を検出するジャイロセンサであることを特徴とする請求項９に記載の撮像装置。
【請求項１２】
前記手振れ量検出手段は、撮影画像の変位に基づいて手振れ量を検出することを特徴とする請求項９に記載の撮像装置。
【請求項１３】
前記レリーズ操作は、前記表示部に表示されるソフトウェアキーのレリーズボンの操作であることを特徴とする請求項１から１２のいずれかに記載の撮像装置。
【請求項１４】
撮影画像の手振れを補正する、表示部上に備えられたタッチ入力手段を有する撮像装置のコンピュータに、
前記タッチ入力手段上で行われたレリーズ操作のタッチ位置を検出するタッチ位置検出機能、
撮影時の手振れを補正する手振れ補正機能、
前記タッチ位置検出機能で検出されたタッチ位置に基づいて、前記手振れ補正機能による手振れ補正の有無或いは手振れ補正量を制御する制御機能
を実現させることを特徴とするプログラム。
【請求項１５】
撮影画像の手振れを補正する、表示部上に備えられたタッチ入力手段を有する撮像装置における撮影方法であって、
前記タッチ入力手段上で行われたレリーズ操作のタッチ位置を検出するタッチ位置検出処理と、
撮影時の手振れを補正する手振れ補正処理と、
前記タッチ位置検出処理で検出されたタッチ位置に基づいて、前記手振れ補正処理による手振れ補正の有無或いは手振れ補正量を制御する制御処理と
を含むことを特徴とする撮影方法。
【請求項１６】
撮影画像の手振れを補正する、表示部上に備えられたタッチ入力手段を有する撮像装置のコンピュータに、
当該撮像装置の把持位置を検出する把持位置検出機能、
撮影時の手振れを補正する手振れ補正機能、
前記把持位置検出機能により検出された把持位置に基づいて、前記手振れ補正機能による手振れ補正の有無或いは手振れ補正量を制御する制御機能
を実現させることを特徴とするプログラム。
【請求項１７】
撮影画像の手振れを補正する、表示部上に備えられたタッチ入力手段を有する撮像装置における撮影方法であって、
当該撮像装置の把持位置を検出する把持位置検出処理と、
撮影時の手振れを補正する手振れ補正処理と、
前記把持位置検出処理により検出された把持位置に基づいて、前記手振れ補正処理による手振れ補正の有無或いは手振れ補正量を制御する制御処理と
を含むことを特徴とする撮影方法。